(57)【特許請求の範囲】
【請求項１】
原稿上の画像を読み取り画像データとして出力する画像読取手段と、
前記画像読取手段により出力された画像データを記憶する画像記憶手段と、
前記画像記憶手段に記憶した画像データに基づいて転写紙上に画像形成する画像形成手段と、
原稿中の所定領域の画像の有無を認識する認識手段と、
前記画像形成手段により画像形成された転写紙へ綴じ穴を開ける機能を有する後処理手段と、
前記後処理装置による綴じ穴開け機能の実行を設定するためのモード設定手段と、を備え、
前記モード設定手段により綴じ穴開け機能の実行が設定されると共に、前記認識手段により原稿中の綴じ穴に当たる位置に画像があることを認識した場合、綴じ代を付けて綴じ穴開け機能を実行するか綴じ代を付けずに綴じ穴開け機能を実行するかを操作者に選択させ、選択された動作を行う画像形成装置であって、
所定時間内に操作者による選択がない場合に、綴じ代を付けて綴じ穴開け機能を実行する動作と綴じ代を付けずに綴じ穴開け機能を実行する動作のうち予め設定された動作を行うことを特徴とする画像形成装置。
【請求項２】
更に操作者に対して表示を行う表示手段を備え、前記表示手段による表示に基づいて操作者による動作の選択を行わせることを特徴とする請求項１に記載の画像形成装置。
【請求項３】
前記表示手段は綴じ穴位置に画像が有ることを表示することを特徴とする請求項１又は２に記載の画像形成装置。
【発明の詳細な説明】
【０００１】
【発明の属する技術分野】
本発明は、画像情報を読み取って紙媒体等に複写する複写装置に関し、さらに詳しくは、ディジタル的に読み取った画像をディジタル処理して紙媒体等に出力可能なディジタル普通紙複写装置に関する。
【０００２】
【従来技術】
従来から、原稿を読みとって、転写紙上にその読み取った画像を複写用紙上に再現して排出する複写機はよく知られるところであり、また、そのような複写機では、光学的に拡大や縮小した画像形成も行われている。
さらに近年では、原稿上に文字を合成して挿入したり原稿から読み取った画像データを部分的に切り取って移動できるように、読み取った画像データを一旦画像メモリに格納してから、必要に応じて合成や移動等のデジタル的な加工処理を行い、読み取った順に画像形成する電子ソートという方式が知られるようになっている。
そのような複写機において、事務の合理化のために、複写した複数の用紙に様々な後処理を加える技術が提案されており、例えば、紙折り、ステープラー止め、ファイリング用の綴じ穴開け等が上記追加機能を加える後処理装置により可能であることが知られている。
一方では、文字認識の技術も、例えば、文書処理や郵便番号の読み取り等でコンピュータを用いた光学的文字認識装置の分野等で進歩してきており、複写機においても、そのような文字認識の技術を用いて原稿中の文字部分を抽出し、角度と文字を認識するという認識技術が提案されている。
【０００３】
【発明が解決しようとする課題】
しかしながら、画像形成装置の後処理装置として綴じ穴開け機能を有するフィニッシャにより転写紙に綴じ穴を開ける場合、画像( 文字図など) が欠ける場合が発生する。この綴じ穴による画像欠けを避けるために、画像形成時に「綴じ代」を付けるようあらかじめ操作者が設定できる従来技術が知られている。但し、この操作者が事前に綴じ代を設定する方法では、綴じ代を設定した操作者の処理が終了後、次の操作者が知らずに綴じ代を付けて複写してしまうのを避けるために、自動的に綴じ代を付ける機能は解除される。従って、操作者は「綴じ穴開け」が必要になって「綴じ穴開けモード」を選択する度に「綴じ代モード」を選択せねばならず面倒である。
また、画像形成装置において、「綴じ穴開けモード」が選択されると自動的に「綴じ代モード」を実行するように設定していると、本来「綴じ代」を設定する必要のない、例えば、充分に余白が有ったり、既に綴じ代が存在するような原稿についても自動的に綴じ代が設定してしまうため、既に綴じ代が存在する原稿等では、「綴じ代モード」の実行により綴じ代として設定している幅だけ画像をずらして画像形成するため、右側（綴じ穴の反対側）の画像が欠けてしまうという不具合が生じることがある。
【０００４】
請求項１の本発明では、画像データメモリに格納した原稿の綴じ穴が空く位置に、文字や図等の画像データが存在するか否かを認識して、綴じ穴を開けることで画像欠けが生じる場合、自動的に綴じ代を付けることを可能にすることを目的とする。
請求項２の本発明では、画像データメモリに格納した原稿の綴じ穴が空く位置に、文字や図等の画像データが存在するか否かを認識して、綴じ穴を開けることで画像欠けが生じる場合、表示部にその旨を表示し、綴じ代を付けて綴じ穴を開けるか、綴じ代を付けずに綴じ穴を開けるかを操作者が選択できるようにすることを目的とする。
請求項３では、請求項２の本発明において、表示後一定時間経過後まで操作者の選択が行われなかった場合には、前記２つの処理のうちどちらの処理を実施するかをあらかじめ画像処理装置に設定できるようにすることを目的とする。
【０００５】
【課題を解決するための手段】
上記課題を解決するために、請求項１の画像形成装置においては、原稿上の画像を読み取り画像データとして出力する画像読取手段と、前記画像読取手段により出力された画像データを記憶する画像記憶手段と、前記画像記憶手段に記憶した画像データに基づいて転写紙上に画像形成する画像形成手段と、原稿中の所定領域の画像の有無を認識する認識手段と、前記画像形成手段により画像形成された転写紙へ綴じ穴を開ける機能を有する後処理手段と、前記後処理装置による綴じ穴開け機能の実行を設定するためのモード設定手段と、を備え、前記モード設定手段により綴じ穴開け機能の実行が設定されると共に、前記認識手段により原稿中の綴じ穴に当たる位置に画像があることを認識した場合、綴じ代を付けて綴じ穴開け機能を実行するか綴じ代を付けずに綴じ穴開け機能を実行するかを操作者に選択させ、選択された動作を行う画像形成装置であって、所定時間内に操作者による選択がない場合に、綴じ代を付けて綴じ穴開け機能を実行する動作と綴じ代を付けずに綴じ穴開け機能を実行する動作のうち予め設定された動作を行うようになる。
【０００６】
また、請求項２の画像形成装置においては、更に操作者に対して表示を行う表示手段を備え、前記表示手段による表示に基づいて操作者による動作の選択を行わせるので、表示部にその旨を表示し、綴じ代を付けて綴じ穴を開けるか、綴じ代を付けずに綴じ穴を開けるかを操作者が選択できるようになる。
さらに、請求項３の画像形成装置においては、前記表示手段は綴じ穴位置に画像が有ることを表示するので、操作者は的確に綴じ代をつけるか否かを判断することができる。
【０００７】
【発明の実施の形態】
以下に図を用いて本発明の実施形態の例を説明する。
図１〜図４は、本発明の一実施形態の全体や各部の構成を示す図である。
図１は、本実施形態の画像形成装置の全体の構成を示す概略図であり、図２は、画像形成装置の操作部の概略図であり、図３は、画像形成装置のブロック図であり、図４は、図１の読み取りユニット５０と書込ユニット５７の構成図である。
自動原稿給送装置１（以下ＡＤＦ１）にある原稿台２に原稿面を上にして置かれた原稿束は、操作部２７上のスタートキー２９が押下されると、一番下の原稿から、給送ローラ３、給送ベルト４によってコンタクトガラス６上の所定の位置に給送される。読み取りユニット５０によってコンタクトガラス６上の原稿の画像データを読み取った後、読み取り終了した原稿は給送ベルト４及び排送ローラ５によって排出され、且つ原稿セット検知７にて原稿台２に原稿があることを検知した場合、前の原稿と同様にしてコンタクトガラス６上に給送される。尚、給送ローラ３、給送ベルト４、排送ローラ５は搬送モータ２６によって駆動される。
第一トレイ８、第二トレイ９、第三トレイ１０に積載された転写紙は、各々第一給紙装置１１、第二給紙装置１２、第三給紙装置１３によって給紙され、縦搬送ユニット１４によって感光体１５に当接する位置まで搬送される。
書き込みユニット５７によって感光体１５に書き込まれた画像データを画像形成された転写紙は、搬送ベルト１６によって搬送され定着ユニット１７にて画像を定着された後、排紙ユニット１８によってフィニッシャ１９に排出される。
感光体１５、搬送ベルト１６、定着ユニット１７、排紙ユニット１８はメインモータ２５によって駆動され、各給紙装置１１〜１３は、メインモータ２５の駆動を各々給紙ＣＬ２２〜２４によって伝達される。縦搬送ユニット１４は、メインモータ２５の駆動を中間動力伝達装置２１によって伝達して駆動される。操作部２７には、液晶ディスプレイ２８、スタートキー２９、クリア／ストップキー３０、テンキー３１、綴じ穴開けモードキー３２、エンターキー３３、モードクリアキー３４があり、液晶ディスプレイ２８には各キーにて設定されたモード、部数、及び、画像形成装置の状態を示すメッセージが表示される。
【０００８】
読み取りユニット５０は、原稿を載置するコンタクトガラス６と光学走査系で構成されており、光学走査系には露光ランプ５１、第１ミラー５２、レンズ５３、ＣＣＤイメージセンサ５４等々で構成されている。
露光ランプ５１、及び、第１ミラー５２は、図示しない第１キャリッジ上に固定され、第２ミラー５５、及び、第３ミラー５６は、図示しない第２キャリッジ上に固定されている。
原稿像を読み取る時には、光路長が変わらないように、第１キャリッジと第２キャリッジとが２対１の相対速度になるように機械的に操作される。この光学走査系は、図示しないスキャナ駆動モータによって駆動される。
原稿画像は、ＣＣＤイメージセンサ５４によって読み取られ、電気信号に変換されて処理される。又、レンズ５３、及び、ＣＣＤイメージセンサ５４を図４における左右方向に移動させることにより、画像倍率が変わる。すなわち、指定された倍率に対応して、レンズ５３、及び、ＣＣＤイメージセンサ５４の左右方向の位置が設定されることになる。
書き込みユニット５７は、レーザー出力ユニット５８、結像レンズ５９、ミラー６０で構成され、レーザー出力ユニット５８の内部には、レーザー光源であるレーザーダイオード、及び、モータにて高速で定速回転する多角形ミラー（ポリゴンミラー）が備わっている。
書き込みユニット５７から出力されるレーザ光は、画像作像系の感光体１５に照射される。感光体１５の一端近傍のレーザービームが照射される位置に、主走査同期信号を発生する図示していないビームセンサが配置されている。
【０００９】
図５は、本実施形態における画像処理部（ＩＰＵ）４９の構成を示すブロック図である。
露光ランプ５１から照射された光の反射は、読み取りユニット５０内のＣＣＤイメージセンサ５４にて光電変換されて、Ａ／Ｄコンバータ６１にてデジタル信号に変換される。デジタル信号に変換された画像信号は、シェーディング補正６２で処理された後、画像処理部６３にてＭＴＦ補正、γ補正、変倍処理等がなされる。セレクタ６４では、画像信号の送り先を後述する画像メモリコントローラ６５、又は、書き込みユニット５７に切り替えることができる。
画像メモリコントローラ６５を介して、画像メモリ６６への画像データの入出力が行われる。画像メモリコントローラ６５とセレクタ６４間は、双方向に画像信号を入出力可能な構成となっている。
また、画像メモリコントローラ６５等の設定、読み取りユニット５０と書き込みユニット５７の制御を行うＩＰＵ制御部７１内には、ＣＰＵ６８、及び、そのプログラムやデータを格納するＲＯＭ６９、ＲＡＭ７０を備えている。更にＣＰＵ６８は、画像メモリーコントローラ６５を介して画像メモリ６６のデータ書き込み読み出しが可能になっている。
文字認識ユニット６７は、ＣＰＵ６８にて設定された領域の画像メモリ６６中の所定エリアの文字認識を行うユニットで、１ページ中の４８００×６８００の中の指定された領域の文字情報を順に数値化し、ＣＰＵ６８に値を返す。文字情報を認識できたときは、その値を、認識できなかったときは０を値として返す。認識結果は、ＲＡＭ７０上のデータエリアに格納される。
【００１０】
ここで、図６を用いて、セレクタ６４における１ページ分の画像信号について説明する。
／ＦＧＡＴＥは、１ページの画像データの副走査方向の有効期間を表している。／ＬＳＹＮＣは、１ライン毎の主走査同期信号であり、この信号が立ち上がった後の所定クロックで、画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素８ビット( ２５６階調）のデータが送られてくる。本実施形態の例では、転写紙への書込密度４００ｄｐｉ、最大画素数は、主走査４８００画素、副走査６８００画素である。
図７に、図６の転写紙に画像形成される画像と、／ＦＧＡＴＥ、／ＬＧＡＴＥの信号の関係を示す。また本実施形態の例では、画像データは、２５５に近いほど白画像になる設定であるとする。
【００１１】
次に、画像メモリ６６への入出力について説明する。
画像メモリ６６は、. 画像メモリコントローラ  ６５にて通常の画像入出力に加え、画像出力の際は、１８０°回転した画像を出力可能なメモリである。
メモリコントローラ６５は、図７に示す画像信号に対応した画像領域、動作モードをＣＰＵにて設定することにより、画像データの入出力を画像バスを通じて制御する。画像データは各画素８ビット（２５６階調）でメモリに格納される。また、図８には、図７の画像データの画像メモリ６６への格納状態を示す。
【００１２】
ここで、画像メモリコントローラ６５から出力される画像バスのアドレス生成について説明する。
画像メモリに出力されるアドレスをＩＰＵとすると、走査同期信号／ＬＳＹＮＣ、または、画素同期信号／ＶＣＬＫにて力ウントアップ、又は、ダウンする２個のカウンタＸｃ、Ｙｃ、及び、１ページの画像の先頭アドレスＡｐとの組合わせで、下記アドレスＡｄの生成を行い、そのアドレスＡｄに対して画像の入出力が行われる。
入力出力されるぺージをｐとすると、その先頭アドレスＡｐは、
Ａｐ＝２０００００ｈ×ｐ
である。
画像入力時の各カウンタＸｃ、Ｙｃの条件とアドレスＡｄを求める式は：
Ｘｃ  カウントアップ：／ＶＣＬＫ毎（／ＬＳＹＮＣでリセット）
Ｙｃ  カウントアップ：／ＬＳＹＮＣ毎
Ａｄ= Ａｐ+ Ｘｃ＋Ｙｃ×４８００
である。
従って、入力画像の回転が無い通常の画像出力時の各カウンタＸｃ、Ｙｃの条件とアドレスＡｄを求める式は：
Ｘｃカウントアップ：／ＶＣＬＫ毎、（／ＬＳＹＮＣでリセット）
Ｙｃカウントアップ：／ＬＳＹＮＣ毎
Ａｄ= Ａｐ+ Ｘｃ+ Ｙｃ×４８００
となる。
ここで、入力画像を１８０°回転させる場合の画像出力時の各カウンタＸｃ、Ｙｃの条件とアドレスＡｄを求める式は：
Ｘｃ  カウントダウン：／ＶＣＬＫ毎、（／ＬＳＹＮＣでリセット）
Ｙｃ  カウントダウン：／ＬＳＹＮＣ毎
Ａｄ =Ａｐ+ ４８００+ Ｘｃ+ （６８００+ Ｙｃ）×４８００
となる。
【００１３】
次に、図９〜図１６の動作フローチャートに基づき、本発明の画像処理部（以下、ＩＰＵと記載する。）４９、及び、ベースエンジンコントロールユニット（以下、ＢＣＵと記載する。）２０の動作説明を行う。
図９は、画像データの読み取りを開始する際のベースエンジンコントロールユニット（ＢＣＵ）の動作フローチャートである。
図９では、ステップＳ１で、スタートキー２９が押下されたか否かの判定が行われ、スタートキー２９が押下げされた場合（ステップＳ１：Ｙｅｓ）にステップＳ２に進み、スタートキー２９が押下げされていない場合（ステップＳ１：Ｎｏ）には、再びステップＳ１処理を繰り返す。
ステップＳ２では、ＪＯＢ実行フラグがＯＮされているか否かの判定が行われて、ＯＮされていれば（ステップＳ２：Ｙｅｓ）、キー入力は受け付けられない場合なので、再びステップＳ１処理を繰り返す。ＯＮされていなければ（ステップＳ２：Ｎｏ）、キー入力は受け付けらるので、ステップＳ３へ進む。
ステップＳ３では、ＪＯＢが受け付けられたので、ＪＯＢ実行フラグをＯＮさせて、以後のキー入力を受け付けないようにする。
ステップＳ４では、原稿が原稿台２上にセットされているかＡＤＦ１にセットされているかの判定を行い、ＡＤＦ１にセットされていれば（ステップＳ４：Ｙｅｓ）ステップＳ５に進み、ＡＤＦ１にセットされていなければ（ステップＳ４：Ｎｏ）ステップＳ６に進む。
ステップＳ５では、ＡＤＦ１の搬送モータ２６をＯＮして、原稿をコンタクトガラス６上の所定の位置まで給送する。
ステップＳ６では、ステップＳ５の原稿給送終了後か原稿が原稿台２上にセットされた状態であるので、ＩＰＵ４９に読み取りスタートコマンドを送信し、画像データの読み取りを開始する。
【００１４】
図１０は、画像読み取り、及び、綴じ穴位置の画像認識処理の画像処理部（ＩＰＵ）における動作フローチャートである。
一般的に、綴じ穴は２ケ一組であり、且つ、穴径、及び、穴間隔は一定であり、原稿の左側に開けられる。
ステップＳ１１では、ＩＰＵ４９で読み取りスタートコマンドを受信したか否かの判断が行われる。受信した場合（ステップＳ１１：Ｙｅｓ）には、ステップＳ１２に進み、受信していない場合（ステップＳ１１：Ｎｏ）には、再びステップＳ１１の処理を繰り返す。
ステップＳ１２では、画像読み取りスタートコマンドを受信した場合であるので、ＩＰＵ制御部は、スキャナを駆動させ、画像データを読み取り、画像メモリへ格納する。
ステップＳ１３では、文字記号認識ユニットにて、メモリにあらかじめ格納された認識位置が示す画像メモリ内の位置（綴じ穴位置）について、画像の有無認識を行う。
ステップＳ１４では、ステップＳ１３の綴じ穴位置の画像の有無の認識の判定を行う。認識処理で画像が有る場合（ステップＳ１４：Ｙｅｓ）には、ステップＳ１５に進み、認識処理で画像が無い場合（ステップＳ１４：Ｎｏ）には、ステップＳ１６に進む。
ステップＳ１５では、ステップＳ１４で画像が有る場合なので、画像有りの信号をＢＣＵ２０に送信する。
ステップＳ１６では、ステップＳ１４で画像が無い場合なので、読み取り終了コマンドをＢＣＵ２０に送信する。
【００１５】
図１１は、画像処理部（ＩＰＵ）から読み取り終了コマンドを受信した場合のベースエンジンコントロールユニットの動作フローチャートである。
ステップＳ２１では、ＩＰＵ４９から読み取り終了コマンドを受信したか否かの判定を行い、受信した場合（ステップＳ２１：Ｙｅｓ）には、ステップＳ２２に進み、受信しない場合（ステップＳ２１：Ｎｏ）には、ステップＳ２２に進む。
ステップＳ２２では、原稿台２に原稿が残っているか否かの判定を行い、残っていなければ（ステップＳ２２：Ｎｏ）、ステップＳ２３に進み、残っていれば（ステップＳ２２：Ｙｅｓ）、ステップＳ２４に進む。
ステップＳ２３では、原稿台２に原稿は残っていないので、コンタクトガラス６上にある読み取り済み原稿を排送し、メインモータ２５をＯＮし、（原稿サイズ、画像データ出力方向等により）選択されたトレイに積載された転写紙を対応する給紙装置によって１枚給紙し、縦搬送ユニット１４にて転写紙を感光体１５に当接する位置まで搬送しする。
ステップＳ２４では、原稿台２に原稿がまだ残っているので、コンタクトガラス６上にある読み取り済み原稿を排送し、再び原稿給送動作を実行する。
ステップＳ２５では、ＩＰＵ４９へ画像出力スタートコマンドを送信する。
ステップＳ２６では、ＩＰＵ４９へ読み取りスタートコマンドを送信する。
【００１６】
以下に、請求項１〜３の画像形成装置の動作について、本実施形態の画像形成装置を例として動作説明をフローチャートに沿って行う。
請求項１の動作を、図１２と図１３を用いて説明する。
図１２は、画像処理部（ＩＰＵ）から画像有りの信号を受信した場合のベースエンジンコントロールユニット（ＢＣＵ）の動作フローチャートである。
ステップＳ３１では、ＢＣＵ２０がＩＰＵ４９から画像有りを受信したか否かを判定する。画像有りを受信した場合（ステップＳ３１：Ｙｅｓ）には、ステップＳ３２に進み、画像有りを受信しない場合（ステップＳ３１：Ｎｏ）には、再びステップＳ３１を実行する。
ステップＳ３２では、液晶ディスプレイ２８に綴じ代モードが設定されたことを表示する。
ステップＳ３３では、ＩＰＵ４９に綴じ代要求コマンドを送出する。
図１３は、ベースエンジンコントロールユニット（ＢＣＵ）の綴じ代要求コマンドを受信した場合の画像処理部（ＩＰＵ）の動作フローチャートである。
ステップＳ３４では、ＩＰＵ４９がＢＣＵからの綴じ代要求コマンドを受信したか否かの判定を行い、綴じ代要求コマンドを受信した場合（ステップＳ３４：Ｙｅｓ）には、ステップＳ３５に進み、綴じ代要求コマンドを受信しない場合（ステップＳ３４：Ｎｏ）には、再びステップＳ３４を実行する。
ステップＳ３５では、画像メモリ内の画像データに綴じ代部を付けを行う。具体的には、ある所定の幅だけ、画像データを右方向にシフトする。その結果、所定の幅分だけ、画像の左側に綴じ代（余白）ができ、またその幅分画像の右側がカットされる。
ステップＳ３６では、ＢＣＵ２０に対して、読み取り終了コマンドを発行する。
【００１７】
次に、請求項２の動作を、図１４と図１５を用いて説明する。
図１４は、画像処理部（ＩＰＵ）から画像有りの信号を受信した場合のベースエンジンコントロールユニット（ＢＣＵ）の動作フローチャートである。
ステップＳ４１は、ＢＣＵ２０がＩＰＵ４９から画像有りを受信したか否かを判定する。画像有りを受信した場合（ステップＳ４１：Ｙｅｓ）には、ステップＳ４２に進み、画像有りを受信しない場合（ステップＳ４１：Ｎｏ）には、再びステップＳ４１を実行する。
ステップＳ４２は、ＢＣＵ２０がＩＰＵ４９から画像有りを受信した場合であるので、液晶ディスプレイ２８に、「１．綴じ代を付ける」、「２．綴じ代付けず」の選択要素を表示する。
ステップＳ４３では、オペレータによりテンキー３１及びエンターキ−３３にて「１．綴じ代を付ける」が入力されたか否かの判定を行う。「１．綴じ代を付ける」が入力された場合（ステップＳ４３：Ｙｅｓ）には、ステップＳ４４に進み、「１．綴じ代を付ける」が入力され無い場合（ステップＳ４３：Ｎｏ）には、ステップＳ４５に進む。
ステップＳ４４では、ＩＰＵ４９に綴じ代要求コマンドを送信する。
ステップＳ４５では、「１．綴じ代を付ける」が入力され無い場合で、さらに、「２．綴じ代付けず」が入力されたか否かの判定を行う。「２．綴じ代付けず」が入力された場合（ステップＳ４５：Ｙｅｓ）には、ステップＳ４６に進み、「２．綴じ代付けず」が入力されない場合（ステップＳ４５：Ｎｏ）には、ステップＳ４３に戻る。
ステップＳ４６では、「２．綴じ代付けず」が入力された場合であるので、ＩＰＵ４９に読み取り終了コマンド要求を送信する。
【００１８】
図１５は、ベースエンジンコントロールユニット（ＢＣＵ）の綴じ代要求コマンドを受信した場合の画像処理部（ＩＰＵ）の動作フローチャートである。
ステップＳ５１では、ＩＰＵ４９がＢＣＵからの綴じ代要求コマンドを受信したか否かの判定を行い、綴じ代要求コマンドを受信した場合（ステップＳ５１：Ｙｅｓ）には、ステップＳ５２に進み、綴じ代要求コマンドを受信しない場合（ステップＳ５１：Ｎｏ）には、ステップＳ５３に進む。
ステップＳ５２では、画像メモリ内の画像データに綴じ代部を付けを行う。具体的には、ある所定の幅だけ、画像データを右方向にシフトする。その結果、所定の幅分だけ、画像の左側に綴じ代（余白）ができ、またその幅分画像の右側がカットされる。
ステップＳ５３では、読み取り終了コマンド要求を受信したか否かの判定を行い、受信した場合（ステップＳ５３：Ｙｅｓ）には、ステップＳ５４に進み、受信しない場合（ステップＳ５３：Ｎｏ）には、再びステップＳ５１を実行する。
ステップＳ５４では、ＢＣＵ２０に対して、読み取り終了コマンドを発行する。
【００１９】
次に、請求項３の動作を、図１６を用いて説明する。
尚、この場合は特に図示はしていないが、操作者は、ユーザープログラムモードにおいて、綴じ穴開けモード時の処理設定を行うことになる。そして、綴じ代付加が選択された場合には、綴じ代フラグＯＮとし、綴じ代なしが設定された場合には、綴じ代フラグＯＦＦとする。
図１６は、上記条件でベースエンジンコントロールユニット（ＢＣＵ）の綴じ代要求コマンドを受信した場合の画像処理部（ＩＰＵ）の動作フローチャートである。
ステップＳ６１は、ＢＣＵ２０がＩＰＵ４９から画像有りを受信したか否かを判定する。画像有りを受信した場合（ステップＳ６１：Ｙｅｓ）には、ステップＳ６２に進み、画像有りを受信しない場合（ステップＳ６１：Ｎｏ）には、再びステップＳ６１を実行する。
ステップＳ６２は、ＢＣＵ２０がＩＰＵ４９から画像有りを受信した場合であるので、液晶ディスプレイ２８に、「１．綴じ代を付ける」、「２．綴じ代付けず」の選択要素を表示する。
ステップＳ６３では、オペレータによりテンキー３１及びエンターキ−３３にて「１．綴じ代を付ける」が入力されたか否かの判定を行う。「１．綴じ代を付ける」が入力された場合（ステップＳ６３：Ｙｅｓ）には、ステップＳ６４に進み、「１．綴じ代を付ける」が入力され無い場合（ステップＳ６３：Ｎｏ）には、ステップＳ６５に進む。
【００２０】
ステップＳ６４では、ＩＰＵ４９に綴じ代要求コマンドを送信する。
ステップＳ６５では、「１．綴じ代を付ける」が入力され無い場合で、さらに、「２．綴じ代付けず」が入力されたか否かの判定を行う。「２．綴じ代付けず」が入力された場合（ステップＳ６５：Ｙｅｓ）には、ステップＳ６６に進み、「２．綴じ代付けず」が入力されない場合（ステップＳ６５：Ｎｏ）には、ステップＳ６７に進む。
ステップＳ６６では、「２．綴じ代付けず」が入力された場合であるので、ＩＰＵ４９に読み取り終了コマンド要求を送信する。
ステップＳ６７では、ＢＣＵ２０は、ＩＰＵ４９から画像有りを受信して、液晶ディスプレイ２８に、「１．綴じ代を付ける」、「２．綴じ代付けず」の選択要素を表示して入力が無い場合なので、タイムカウンタT をスタートさせる。
ステップＳ６８では、あらかじめ定められた時間ｔに対して、タイムカウントＴがＴ≧ｔとなったか否かの判定を行う。Ｔ≧ｔになった場合（ステップＳ６８：Ｙｅｓ）には、ステップＳ６９に進み、Ｔ≧ｔにならない場合（ステップＳ６８：Ｎｏ）には、ステップＳ６３に戻る。
ステップＳ６９では、所定時間たってもオペレータによる入力が無いことになるので、ディスプレイ２８の、「１．綴じ代を付ける」、「２．綴じ代付けず」の選択要素を表示をクリアする。
【００２１】
ステップＳ７０では、綴じ代要求フラグのＯＮ／ＯＦＦに従ってＩＰＵ４９にコマンドを送信し、タイムカウンタＴをリセットする。
ステップＳ７１では、綴じ代要求フラグがＯＮであるか否かの判定が行われ、ＯＮされている場合（ステップＳ７１：Ｙｅｓ）には、ステップＳ６４に進み、ＯＮされていない場合（ステップＳ７１：Ｎｏ）には、ステップＳ６６に進んでＩＰＵ４９にコマンドを送出する。
また、Ｔ＜ｔの状態で、オペレータによる入力があった場合は、上記図１４と図１５と同様の動作となる。
上記のように構成し動作させることで、画像データメモリに格納した原稿の綴じ穴が空く位置に、文字や図等の画像データが存在するか否かを認識して、綴じ穴を開けることで画像欠けが生じる場合、自動的に綴じ代を付けることを可能にし、又は、画像データメモリに格納した原稿の綴じ穴が空く位置に、文字や図等の画像データが存在するか否かを認識して、綴じ穴を開けることで画像欠けが生じる場合、表示部にその旨を表示し、綴じ代を付けて綴じ穴を開けるか、綴じ代を付けずに綴じ穴を開けるかを操作者が選択できるようにすることができる。
さらに、表示後一定時間経過後まで操作者の選択が行われなかった場合に、前記２つの処理のうちどちらの処理を実施するかをあらかじめ画像処理装置に設定できるようにすることができる。
【００２２】
【発明の効果】
本発明の画像形成装置では、画像データメモリに格納した原稿の、綴じ穴が空く位置に文字図などの画像データが存在するか否かを認識し、綴じ穴を開けることで画像かけが生じると判定される場合、自動的に綴じ代を付けることができるため、画像欠けを防ぎ、且つ、モード設定を簡略化できる。
さらに、綴じ穴を開けることで画像欠けが生じる場合、表示部にその旨を表示することで、綴じ代を付けて綴じ穴を開けるか、綴じ代を付けずに綴じ穴を開けるかを、操作者が選択できるため、状況に応じた処理が可能となる。
また、綴じ穴の選択の表示後、一定時間経過しても操作者の選択が行われなかった場合には、前記２つのうちどちらの処理を実施するかをあらかじめ設定できるため、迅速な処理が可能になる。
さらに、画像メモリに取り込んだ原稿毎に画像欠けが生じるか否かを判断できるため、複数枚の原稿が積載された場合にも、全ての原稿について綴じ代を付けるもしくは付けないの選択ではなく、各々の原稿に対して適切な処理ができる。
【図面の簡単な説明】
【図１】本実施形態の画像形成装置の全体の構成を示す概略図である。
【図２】画像形成装置の操作部の概略図である。
【図３】画像形成装置のブロック図である。
【図４】図１の読み取りユニットと書込ユニットの構成図である。
【図５】本実施形態における画像処理部（ＩＰＵ）の構成を示すブロック図である。
【図６】セレクタにおける１ページ分の画像信号の説明図である。
【図７】図６の転写紙に画像形成される画像と、／ＦＧＡＴＥ、／ＬＧＡＴＥの信号の関係を示す図である。
【図８】図７の画像データの画像メモリへの格納状態を示す図である。
【図９】画像データの読み取りを開始する際のベースエンジンコントロールユニットの動作フローチャートである。
【図１０】画像読み取り、及び、綴じ穴位置の画像認識処理の画像処理部における動作フローチャートである。
【図１１】画像処理部から読み取り終了コマンドを受信した場合のベースエンジンコントロールユニットの動作フローチャートである。
【図１２】画像処理部から画像有りの信号を受信した場合のベースエンジンコントロールユニットの動作フローチャートである。
【図１３】ベースエンジンコントロールユニットの綴じ代要求コマンドを受信した場合の画像処理部の動作フローチャートである。
【図１４】画像処理部から画像有りの信号を受信した場合のベースエンジンコントロールユニットの動作フローチャートである。
【図１５】ベースエンジンコントロールユニットの綴じ代要求コマンドを受信した場合の画像処理部の動作フローチャートである。
【図１６】ベースエンジンコントロールユニットの綴じ代要求コマンドを受信した場合の画像処理部の動作フローチャートである。
【符号の説明】
１・・・自動原稿給送装置（ＡＤＦ）、２・・・原稿台、３・・・給送ローラ、４・・・給送ベルト、５・・・排送ローラ、６・・・コンタクトガラス、７・・・原稿セット検知、８・・・両面（第１）トレイ、９・・・第２トレイ、１０・・・第３トレイ、１１・・・両面（第１）給紙装置、１２・・・第２給紙装置、１３・・・第３給紙装置、１４・・・縦搬送ユニット、１５・・・感光体、１６・・・搬送ベルト、１７・・・定着ユニット、１８・・・排紙ユニット、１９・・・フィニッシャ、２０・・・メインコントローラ（ＢＣＵ）、２１・・・中間ＣＬ、２２・・・両面搬送モータ、２３・・・第１給紙ＣＬ、２４・・・第２給紙ＣＬ、２５・・・メインモータ、２６・・・搬送モータ、２７・・・操作部、２８・・・液晶ディスプレイ、２９・・・スタートキー、３０・・・クリア／ストップキー、３１・・・テンキー、３２・・・綴じ穴開モードキー、３３・・・エンターキー、３５・・・両面モードキー、３６・・・切換爪、３７・・・両面搬送ユニット、３８・・・切替ＳＣＬ、４９・・・ＩＰＵ、５０・・・読み取りユニット、５１・・・露光ランプ、５２・・・第１ミラー、５３・・・レンズ、５４・・・ＣＣＤイメージセンサ、５５・・・第２ミラー、５６・・・第３ミラー、５７・・・書込ユニット、５８・・・レーザー出力ユニット、５９・・・結像レンズ、６０・・・ミラー、６１・・・Ａ／Ｄコンバータ、６２・・・シェーディング補正、６３・・・画像処理部、６４・・・セレクタ、６５・・・画像メモリコントローラ、６６・・・画像メモリ、６７・・・文字認識ユニット、６８・・・ＣＰＵ、６９・・・ＲＯＭ、７０・・・ＲＡＭ、７１・・・ＣＰＵ制御部
【図１】
0003896205.tif 000002
【図２】
0003896205.tif 000003
【図３】
0003896205.tif 000004
【図４】
0003896205.tif 000005
【図５】
0003896205.tif 000006
【図６】
0003896205.tif 000007
【図７】
0003896205.tif 000008
【図８】
0003896205.tif 000009
【図９】
0003896205.tif 000010
【図１０】
0003896205.tif 000011
【図１１】
0003896205.tif 000012
【図１２】
0003896205.tif 000013
【図１３】
0003896205.tif 000014
【図１４】
0003896205.tif 000015
【図１５】
0003896205.tif 000016
【図１６】
0003896205.tif 000017